(57)【要約】【課題】嵌合時の挿入力低減を図り、省スペース化を図り、さらに作業性と接続信頼性を向上させる。【解決手段】オスコネクタ（１）とメスコネクタ（２）との複数端子（６）（１３）を接続するように両コネクタを嵌合し、これら両コネクタをシールドケース（４）で覆うようにしたシールドコネクタにおいて、両コネクタのハウジング（１０）（２０）にそれぞれ突起（１１）（２１）を設けるとともに、シールドケースに回動用の長孔（４０）を形成し、シールドケースの長孔内を移動する突起（３２）とメスコネクタのハウジングの突起が挿入されて回動支点となる孔（３１）とオスコネクタのハウジングの突起が係合するカム溝（３０）とを備えたレバー（３）をシールドケース内に収め、前記メスコネクタをオスコネクタに嵌合することでレバーの突起が長孔内を移動して孔を支点として回動し、カム溝がオスハウジングの突起に係合してこの突起をカム溝内に引き込んでメスコネクタをオスコネクタに挿入するように構成した。【選択図】図１
2008181677.tif 000002
【特許請求の範囲】
【請求項１】
オスコネクタとメスコネクタとの複数端子を接続するように両コネクタを嵌合し、これら両コネクタをシールドケースで覆うようにしたシールドコネクタにおいて、
両コネクタのハウジングにそれぞれ突起を設けるとともに、シールドケースに回動用の長孔を形成し、
シールドケースの長孔内を移動する突起とメスコネクタのハウジングの突起が挿入されて回動支点となる孔とオスコネクタのハウジングの突起が係合するカム溝とを備えたレバーをシールドケース内に収め、
前記メスコネクタをオスコネクタに嵌合することでレバーの突起が長孔内を移動して孔を支点として回動し、カム溝がオスハウジングの突起に係合してこの突起をカム溝内に引き込んでメスコネクタをオスコネクタに挿入することを特徴とするシールドコネクタ。
【請求項２】
前記シールドケースを固定用パネルに固定した状態で両コネクタが完全嵌合状態になるようにしたことを特徴とする請求項１に記載のシールドコネクタ。
【請求項３】
前記電線とメスハウジングとの間、メスコネクタとオスコネクタとの嵌合部位、オスコネクタと固定用パネルとの間にそれぞれシール部材を設けたことを特徴とする請求項１又は２に記載のシールドコネクタ。
【発明の詳細な説明】
【技術分野】
【０００１】
本発明は、ノイズの侵入や漏れを防止したシールドコネクタに関する。
【背景技術】
【０００２】
電気自動車等では、ノイズ問題のため電磁シールド性を考慮することから電線としてシールド電線が用いられ、この電線の端部にシールドコネクタが接続され、このシールドコネクタが、モータ等の電気機器の導電性のコネクタに接続されている。両コネクタの嵌合により、シールド電線の芯線とモータ側のコネクタ内の端子とが電気的に接続されるとともに、シールド電線の編組がシールドコネクタを介してモータ側のコネクタのハウジングに電気的に接続されてシールド接続される。そして、確実な接続を図るとともに、接続状態を確認するようにしたものとしては、次のようなシールドコネクタが知られている。すなわち、両コネクタ嵌合時に、一方の導電性コネクタハウジングと他方の導電性コネクタハウジングとをシールド接続されるシールドコネクタの接続構造において、導電性コネクタハウジングのどちらか一方に、回動自在に導電性の回動レバーを設けるとともに、他方のコネクタハウジングに、回動レバーと係合して回動レバーの回動によりシールドコネクタの嵌合を行う係合部を設け、かつ、回動レバー及び／又は他方のコネクタハウジングに、回動レバーを回動させてコネクタを嵌合させたとき、他方のコネクタハウジング及び／または回動レバーに接触して弾性変形する導電性の弾性接触部を設けたものが知られている（特許文献１参照）。このような従来例では、導電性の回動レバーを回動させてコネクタを嵌合させると、弾性接触部が他方のコネクタハウジング及び／又は回動レバーに接触して弾性変形するため、回動レバーと他方のコネクタハウジングとは弾性接触により接続されるので、一方の導電性コネクタハウジングと他方の導電性コネクタハウジングとが確実に電気的に接続される。また、回動レバーと他方のコネクタハウジングとは弾性接触により接続されているので回動レバーががたつくことがない。このため、回動レバーは、弾性接触部が設けられている場合といない場合とでは、嵌合時、回動レバーのがたつき状態が異なるので、一方の導電性コネクタハウジングと他方の導電性コネクタハウジングとの接続状態を確認することができることになる。
【特許文献１】実開２００３−３３８３４５号公報（第３頁、図４）
【発明の開示】
【発明が解決しようとする課題】
【０００３】
上述した従来例では、回動レバーの大きさがかなり大きいものであり、そのための作業スペースや取付スペースが必要となり、さらには回動レバーの操作完了確認用の信号検知用コネクタを必要とし、このコネクタのレバー解除防止部により回動レバーの解除を防止しているため、部品点数が増加し、コストアップになっていた。
【０００４】
そこで、本発明は、コネクタ同士の嵌合時に挿入力低減を図り、しかも従来のような大きなレバーを用いず、部品点数も減らし、省スペース化を図り、作業性と接続信頼性を向上させたシールドコネクタを提供することを目的とする。
【課題を解決するための手段】
【０００５】
上述の目的を達成するため、本発明は、オスコネクタとメスコネクタとの複数端子を接続するように両コネクタを嵌合し、これら両コネクタをシールドケースで覆うようにしたシールドコネクタにおいて、両コネクタのハウジングにそれぞれ突起を設けるとともに、シールドケースに回動用の長孔を形成し、シールドケースの長孔内を移動する突起とメスコネクタのハウジングの突起が挿入されて回動支点となる孔とオスコネクタのハウジングの突起が係合するカム溝とを備えたレバーをシールドケース内に収め、前記メスコネクタをオスコネクタに嵌合することでレバーの突起が長孔内を移動して孔を支点として回動し、カム溝がオスハウジングの突起に係合してこの突起をカム溝内に引き込んでメスコネクタをオスコネクタに挿入したものである。
【発明の効果】
【０００６】
本発明は、オスコネクタとメスコネクタとの複数端子を接続するように両コネクタを嵌合し、これら両コネクタをシールドケースで覆うようにしたシールドコネクタにおいて、
両コネクタのハウジングにそれぞれ突起を設けるとともに、シールドケースに回動用の長孔を形成し、シールドケースの長孔内を移動する突起とメスコネクタのハウジングの突起が挿入されて回動支点となる孔とオスコネクタのハウジングの突起が係合するカム溝とを備えたレバーをシールドケース内に収め、前記メスコネクタをオスコネクタに嵌合することでレバーの突起が長孔内を移動して孔を支点として回動し、カム溝がオスハウジングの突起に係合してこの突起をカム溝内に引き込んでメスコネクタをオスコネクタに挿入する
ので、シールドケースがレバーと連動して動作することで、オスコネクタとメスコネクタの嵌合力（挿入力）を低減でき、作業性が良くなる。また、シールドケースをスライドさせコネクタ取付用の固定パネルに取付可能になる位置と両コネクタの完全嵌合位置を合わせることにより、両コネクタの不完全嵌合を防止し、接続信頼性を向上させることができる。さらには、大きな回動レバーが外部に取り付かないので、省スペース化も図れる。
【発明を実施するための最良の形態】
【０００７】
以下に、本発明の好適な実施形態について図面を参照にして説明する。
【０００８】
図１は、組付ける前のシールドコネクタを示す分解斜視図であり、オスコネクタ１にメスコネクタ２を挿入して、両コネクタ１、２を嵌合させるが、両コネクタ１、２のハウジング１０、２０のそれぞれ上下面ないし表裏面上に突起１１、２１を設け、突起１１をレバー３のカム溝３０に係合し、突起２１をレバー３の孔３１に挿入し、レバー３の突起３２をシールドケース４の長孔４０に挿入するようになっている。前記オスコネクタ１のハウジング１０には、２つの挿入孔１２を形成し、これらの挿入孔１２内にオス端子１３を配置させている。また、メスコネクタ２のハウジング２０に設けた孔２２から挿入部２３に対して電線５に接続されたメス端子６を挿入して装着するようになっている。さらに、電線５を被覆するシールド編組７をシールドケース４にアウターフェルール８で取付けるようになっている。
【０００９】
図２は、メスコネクタ２をシールドケース４内に収め、かつシールド編組７をシールドケース４に取付けた状態から、メスコネクタ２をオスコネクタ１に嵌合させようとする状態の斜視図である。シールドケース４のフランジ部４１を介してシールドケース４を後述する固定用パネル９にボルト４２で固定できる。
【００１０】
図３は、両コネクタ１、２を嵌合し、固定用パネル９に固定した状態の断面図である。前記オス端子１３にはバスバー１４をボルト１５で固定してある。このバスバー１４に、例えばモータ側のワイヤハーネスを接続する。図３では、レバー３の孔３１とメスコネクタ２の突起２１との挿入状態は、断面位置が異なるために図示していない。シールドケース４の長孔４０とレバー３の突起３２との関係は、長孔４０がほぼ同弧状に形成され、この長孔４０のフランジ４１側からシールド編組７の取付個所側に向けて突起３２が移動する。この突起３２のこのような移動は、メスコネクタ２がオスコネクタ１に嵌合し始めて完了する時点までの間に行われる。このとき、カム溝３０は、その先端に位置するオスコネクタ１の突起１１に対して長孔４０の形状に倣って回動して、この突起１１を奥まで送り込む。このレバー３の回動支点は、突起２１が挿入された孔３１となり、一対のレバー３は長孔４０内の突起３２の移動により互いに反対方向に回動する。そして、このときカム溝３０が突起１１に係合し、突起１１がカム溝３０の奥まで移動することにより、メスコネクタ２をオスコネクタ１に挿入する方向の力が作用し、挿入力（嵌合力）低減を図る。
【００１１】
前記電線５とメスハウジング２との間、具体的にはハウジング２０の孔２２の内周面と電線５との間、メスコネクタ２とオスコネクタ１との嵌合部位、オスコネクタ１と固定用パネル９との間にシール部材（図示せず）を設けることが好ましい。
【図面の簡単な説明】
【００１２】
【図１】分解斜視図。
【図２】一部組付けた状態の斜視図。
【図３】組付け後に固定用パネルに取り付けた断面図。
【符号の説明】
【００１３】
１    オスコネクタ
２    メスコネクタ
３    レバー
４    シールドケース
５    電線
６    メス端子
７    シールド編組
１０、２０    ハウジング
１３    オス端子
１１、２１    突起
３０    カム溝
３１    孔
３２    突起
４０    長孔
【図１】
2008181677.tif 000003
【図２】
2008181677.tif 000004
【図３】
2008181677.tif 000005